(57)【要約】【課題】閉塞状態の紙管に指等を挿入可能な隙間を形成して紙管を開けやすい構造とすることで、収納物の収納作業を容易にする。【解決手段】その一端が開放状態とされた中空筒状の紙管２０であって、紙管２０の開放状態とされた一方の端近傍には、紙管２０の周側部の一部として一対の閉塞片１０，１０が形成され、一対の閉塞片１０，１０は、紙管２０の径方向内方に押し込まれることで互いに近づくようへこみ変形するとともに、紙管２０の径方向外方に押し戻すことで元の紙管２０の周側部の一部に戻るばね作用が付与され、へこみ変形時の閉塞片１０は、紙管２０の軸方向に直交する断面で見て、紙管２０の径方向外方に対して凹状となったアーチとなり、アーチとなった一対の閉塞片１０，１０の間には隙間部１４，１４が形成されている。【選択図】        図４
2006096389.tif 000002
【特許請求の範囲】
【請求項１】
少なくともその一端が開放状態とされた中空筒状の紙管であって、
前記紙管の開放状態とされた一方の端近傍には、前記紙管の周側部の一部として一対の閉塞片が形成され、
該一対の閉塞片は、該紙管の径方向内方に押し込まれることで互いに近づくようへこみ変形するとともに、該紙管の径方向外方に押し戻すことで元の前記紙管の周側部の一部に戻るばね作用が付与され、
前記へこみ変形時の閉塞片は、前記紙管の軸方向に直交する断面で見て、該紙管の径方向外方に対して凹状となったアーチとなり、該アーチとなった一対の閉塞片の間には隙間部が形成されていることを特徴とする紙管。
【請求項２】
請求項１に記載の紙管であって、
前記閉塞片は、前記紙管の開放状態とされた一方の端に形成された略矩形の片部であるとともに、前記紙管の周方向で見て対向状に形成され、
該閉塞片の長辺は、該紙管の周方向に長尺で且つ該紙管を厚み方向に貫通した切込みと前記紙管の端縁とで構成され、
該閉塞片の短辺は、前記紙管の軸線方向に対して平行な二つの折り目で形成され、
該二つの折り目のほぼ中央位置には第三の折り目が形成され、
前記へこみ変形時の前記閉塞片は、前記紙管の軸方向に直交する断面で見て、前記第三の折り目と対応する部位が該紙管の径方向内方に突出し、該突出した部位と前記閉塞片の両短辺とが前記凹状のアーチを形成することを特徴とする紙管。
【請求項３】
請求項１に記載の紙管であって、
前記閉塞片は、前記紙管の開放状態とされた一方の端とは離間して形成された略矩形の片部であるとともに、前記紙管の周方向で見て対向状に形成され、
該閉塞片の長辺は、該紙管の周方向に長尺で且つ該紙管を厚み方向に貫通するとともに、前記紙管の軸線方向に対して垂直に並んで形成された二つの切込みで構成され、
該閉塞片の短辺は、前記紙管の軸線方向に対して平行な二つの折り目で形成され、
該二つの折り目のほぼ中央位置には第三の折り目が形成され、
前記へこみ変形時の前記閉塞片は、前記紙管の軸方向に直交する断面で見て、前記第三の折り目と対応する部位が該紙管の径方向内方に突出し、該突出した部位と前記閉塞片の両短辺とが前記凹状のアーチを形成することを特徴とする紙管。
【請求項４】
請求項１から請求項３に記載の紙管であって、
前記紙管は、両端が開放状態とされ、
前記閉塞片は、前記紙管の両端に形成されていることを特徴とする紙管。
【発明の詳細な説明】
【技術分野】
【０００１】
本発明は紙管に関する。具体的には、収納物を内部に収納し、その端部を閉塞状態とする筒状の紙管に関する。
【背景技術】
【０００２】
上述の紙管の従来例として、図１０に示す通り、紙管３６の端部に折曲線３２，３２が形成されたものがある（特許文献１を参照。）。折曲線３２は円弧状に湾曲しており、その始端と終端とが紙管３６の開口端縁に達している。この折曲線３２で囲まれた紙管３６の縁部が閉塞片３４となり、紙管３６の両端には、一対の閉塞片３４，３４が対向して設けられている。この一対の閉塞片３４，３４を互いに近づくよう紙管３６の内側に向けて折り曲げることで紙管３６が閉塞状態となる。
【特許文献１】登録実用新案第３０３６６９０号公報
【発明の開示】
【発明が解決しようとする課題】
【０００３】
しかし上述の紙管３６では、閉塞片３４，３４を互いに接するよう折り曲げて隙間をほとんど開けずに閉塞させている。このため、閉塞片３４，３４の間には指先等を入れる隙間がほとんどなく、紙管３６を開放する際には、その間に指先を強引にこじ入れながら元の状態に閉塞片３４を戻さなければならなかった。また未使用状態の紙管３６は、運搬時に閉塞片３４，３４が型くずれしないよう予め閉塞状態されている。このため商品となる収納物１６を収納する前に紙管３６を再度開放しなければならず、収納物１６の収納作業に手間がかかっていた。
本発明は上述した点に鑑みて創案されたものである。つまり本発明が解決しようとする課題は、閉塞状態の紙管に指等を挿入可能な隙間を形成して紙管を開けやすい構造とすることで、収納物の収納作業を容易にすることにある。
【課題を解決するための手段】
【０００４】
上記課題を解決するために、本発明の各発明は次の手段をとる。
先ず第１の発明に係る紙管は、少なくともその一端が開放状態とされた中空筒状の紙管であって、紙管の開放状態とされた一方の端近傍には、紙管の周側部の一部として一対の閉塞片が形成され、一対の閉塞片は、紙管の径方向内方に押し込まれることで互いに近づくようへこみ変形するとともに、紙管の径方向外方に押し戻すことで元の紙管の周側部の一部に戻るばね作用が付与され、へこみ変形時の閉塞片は、紙管の軸方向に直交する断面で見て、紙管の径方向外方に対して凹状となったアーチとなり、アーチとなった一対の閉塞片の間には隙間部が形成されていることを特徴とする。
【０００５】
この第１の発明では、紙管の径方向内方に向けて一対の閉塞片が凹状にへこむ（凹む）ことで、紙管の開口が閉塞状態となる。凹状となった閉塞片は、紙管の径方向外方に対して凹状のアーチとなり、このアーチとなった一対の閉塞片の間には隙間部が形成される。この隙間部に指先等を差し込み、紙管の径方向外方に向けて閉塞片を押戻すと、閉塞片の有するばね作用によって紙管の周側部の所定位置（元の位置）に閉塞片が戻り、紙管が開放状態となる。
【０００６】
次に第２の発明に係る紙管は、第１の発明に係る紙管であって、閉塞片は、紙管の開放状態とされた一方の端に形成された略矩形の片部であるとともに、紙管の周方向で見て対向状に形成され、閉塞片の長辺は、紙管の周方向に長尺で且つ紙管を厚み方向に貫通した切込みと紙管の端縁とで構成され、閉塞片の短辺は、紙管の軸線方向に対して平行な二つの折り目で形成され、二つの折り目のほぼ中央位置には第三の折り目が形成され、へこみ変形時の閉塞片は、紙管の軸方向に直交する断面で見て、第三の折り目と対応する部位が紙管の径方向内方に突出し、突出した部位と閉塞片の両短辺とが凹状のアーチを形成することを特徴とする。
【０００７】
この第２の発明では、紙管の軸方向に直交する断面で見て、第三の折り目と対応する部位が紙管の径方向内方に突出した節となり、この節から閉塞片の端にかけては、その節を挟んで末広の半アーチとなっている。この半アーチは、紙管の周側部がその節に向けて押し込まれて形成されたものであり、元の状態よりも少し撓んだ状態となっている。この半アーチの撓みによって、上述のばね作用が閉塞片に付与される。
【０００８】
次に第３の発明に係る紙管は、第１の発明に係る紙管において、閉塞片は、紙管の開放状態とされた一方の端とは離間して形成された略矩形の片部であるとともに、紙管の周方向で見て対向状に形成され、閉塞片の長辺は、紙管の周方向に長尺で且つ紙管を厚み方向に貫通するとともに、紙管の軸線方向に対して垂直に並んで形成された二つの切込みで構成され、閉塞片の短辺は、紙管の軸線方向に対して平行な二つの折り目で形成され、二つの折り目のほぼ中央位置には第三の折り目が形成され、へこみ変形時の閉塞片は、紙管の軸方向に直交する断面で見て、第三の折り目と対応する部位が紙管の径方向内方に突出し、突出した部位と閉塞片の両短辺とが凹状のアーチを形成することを特徴とする。
第３の発明では、閉塞片は、紙管の端部と離間して形成されている。また、紙管の端部自体は、紙管の閉塞状態においてもへこみ変形せず元の状態を保持する。
【０００９】
次に第４の発明に係る紙管は、第１の発明から第３の発明に係る紙管において、紙管は、両端が開放状態とされ、閉塞片は、紙管の両端に形成されていることを特徴とする。
第４の発明では、開放状態とされた紙管の両端に一対の閉塞片が形成されている。
【発明の効果】
【００１０】
上述した本発明によれば次の効果を得ることができる。
先ず第１の発明によれば、指先等を差し込むための隙間部を形成するとともに閉塞片にばね作用を付与し紙管を開け易くすることで、収納物の収納作業が容易となる。
次に第２の発明によれば、比較的簡単な構成で、紙管を開けやすい構造となる。
次に第３の発明によれば、紙管の端部自体は、紙管の閉塞状態においても元の状態を保持するため、紙管の開口を下に向けて立設させても不安定とならない。
次に第４の発明によれば、閉塞片が紙管の両端に形成されているため、紙管の両端を開けやすい構造で閉塞状態とすることができる。
【発明を実施するための最良の形態】
【００１１】
以下に、本発明を実施するための最良の形態を図面を参照して説明する。
図１〜図６は実施例１を示した図であり，図７〜図９は実施例２を示した図である。
各実施例に示す紙管２０，２２は、巻回したカレンダーやポスター等の収納物１６を収納するための、所望の直径と長さ寸法とを有する筒状の包装容器である。
【実施例１】
【００１２】
実施例１の紙管２０は、図１に示す開放状態では、その両端に開口１２，１２を有する中空状の筒体であり、両開口１２，１２近傍の周側部にはそれぞれ一対の閉塞片１０，１０が形成されている。この紙管２０内に収納物１６を収納した後、紙管２０の径方向内方に向けて各閉塞片１０を指先等で押し込むことで、図２に示す通り、紙管２０の開口１２が閉塞した状態となる。
【００１３】
閉塞片１０は、図３に示す通り、紙管２０の周側部の一部をなす略矩形の片部であり、紙管２０には、一対の閉塞片１０，１０が所定の間隔をあけて対向状に形成されている。略矩形の閉塞片１０の長辺は、厚み方向に紙管２０を貫通した切込み２と紙管２０の端縁８とで構成されている。また短辺は、紙管２０の軸線方向に対して平行な二つの折り目４で形成されている。この二つの折り目４，４の間には、後述のへこみ変形時に節となる第三の折り目６が更に形成されている。
【００１４】
図４のように紙管２０の開口１２を閉塞すると、閉塞片１０は、紙管２０の径方向内方に対して凹状のアーチを形成するようにへこみ（凹み）変形した状態となる。凹状となった閉塞片１０は、第三の折り目６部分が径方向内方に向けて突出した節となり、この節から閉塞片１０の両端にかけては、その節を挟んで末広がりに広がった半アーチ１０ｂ，１０ｂを形成する。この半アーチ１０ｂ，１０ｂは、その節に向けて押し込まれた紙管２０の周側部の一部であり、元の紙管２０の周側部であった状態よりも少し撓んだ状態となって後述する元の状態に戻るためのばね作用が付与されている。そして一対の閉塞片１０，１０は互いの節部分で接近し、互いの半アーチ１０ｂ，１０ｂに対応する箇所には隙間部１４，１４が形成される。
上述の隙間部１４，１４に指先を差し込み、半アーチ１０ｂ，１０ｂを紙管２０の径方向外方に向けて押し広げると、撓んだ半アーチ１０ｂ，１０ｂのばね作用によって両閉塞片１０，１０が元の紙管２０の周側部に戻り、紙管２０が開放状態となる。
【００１５】
なお紙管２０は、収納物１６の保護などの必要に応じて、紙管２０内部が見えないよう栓部材１５で蓋をしてもよい。つまり図５のように円盤状の栓部材１５を、収納物１６と閉塞片１０との間に挟み込みつつ紙管２０内に収納する。図６のように、収納された円盤状の栓部材１５によって紙管２０の両端が閉止されるため、紙管２０の内部に収納された収納物１６が外部から見えなくなる。
【実施例２】
【００１６】
実施例２の紙管２２も、図７〜図９の通り、その両端に開口１２を有する中空状の筒体であり、開口１２近傍の周側部には一対の閉塞片１０ａ，１０ａが形成されている。そして、収納物１６を紙管２２内に収納した後に、紙管２２の径方向内方に向けて各閉塞片１０ａ，１０ａを指先等で押し込むことで、紙管２２の開口１２が閉塞した状態となる。
なお紙管２２は、上述の紙管２０と基本的構成は同一の構成をとるため、上述の紙管２０と同一の構成部分には同一の符号を付し、その詳細説明を省略する。
【００１７】
紙管２２が上述の紙管２０と異なる点は、紙管２２の端部と離間して閉塞片１０ａが形成されている点である。つまり閉塞片１０ａは、図７の通り、紙管２２の軸線方向に対して垂直に並んで形成された二つの切込み２，７からなり、この二つの切込み２，７に折り目４が橋渡し状態で形成されている。二つの折り目４，４の間には、へこみ変形時に節となる第三の折り目６が形成されている。
この閉塞片１０ａを、へこませて紙管２２を閉塞すると、図８のように紙管２２の端部は開放状態のまま紙管２２が閉塞状態となる。紙管２２の端部は開放したままの筒形状を維持するため、図９のように載置面９に紙管２２を安定して垂直に立設できる。
【００１８】
［その他の実施の形態］
本発明に係る紙管２０，２２は、上述した実施の形態に限定されるものではなく、その他各種の実施の形態を取り得る。
先ず閉塞片１０，１０ａは、紙管２０，２２の一端のみに形成されていてもよい。つまり一方が開口していない筒状の紙管にも適用できる。また閉塞片１０，１０ａの形状は、略矩形のほか様々な形状とすることもできる。
また閉塞片１０，１０ａは、対とならずに一つだけ形成されていてもよく、等間隔で三つ（三対）以上形成されていてもよい。また第三の折り目６の形成位置は、必ずしも折り目４，４の中間位置である必要はなく、どちらかにズレていてもよい。
また一つの紙管に閉塞片１０，１０ａを両方とも形成してもよい。例えば、紙管の一方の端には閉塞片１０を形成し、他方の端には閉塞片１０ａを形成することもできる。また閉塞片１０，１０ａの両者を紙管の同じ端に形成してもよい。
【図面の簡単な説明】
【００１９】
【図１】実施例１に係る紙管の開放状態時の斜視図である。
【図２】実施例１に係る紙管の閉塞状態時の斜視図である。
【図３】実施例１に係る紙管端部の開放状態時の斜視図である。
【図４】実施例１に係る紙管端部の閉塞状態時の斜視図である。
【図５】実施例１に係る紙管と栓部材と収納物との関係を示した図である。
【図６】栓部材を収納した実施例１に係る紙管の閉塞状態時の斜視図である。
【図７】実施例２に係る紙管端部の開放状態時の斜視図である。
【図８】実施例２に係る紙管端部の閉塞状態時の斜視図である。
【図９】実施例２に係る紙管の閉塞状態時の斜視図である。
【図１０】従来の紙管の斜視図である。
【符号の説明】
【００２０】
２     切込み
４     折り目
６     第三の折り目
８     端縁
９     載置面
１０，１０ａ  閉塞片
１０ｂ  半アーチ
１２   開口
１４   隙間部
１５   栓部材
１６   収納物
２０，２２    紙管
【図１】
2006096389.tif 000003
【図２】
2006096389.tif 000004
【図３】
2006096389.tif 000005
【図４】
2006096389.tif 000006
【図５】
2006096389.tif 000007
【図６】
2006096389.tif 000008
【図７】
2006096389.tif 000009
【図８】
2006096389.tif 000010
【図９】
2006096389.tif 000011
【図１０】
2006096389.tif 000012